(57)【要約】　　　（修正有）【課題】簡単かつ安価に製造可能であり、本物らしさの感じられる歩行動作を行い得る歩行玩具を提供する。【解決手段】脚部が設けられた玩具本体１と、該玩具本体を操縦する無線式の操縦ユニット２から成る。前記玩具本体には、予め出力される音声情報が記憶された半導体記憶装置を備える音声出力装置と前記受信装置で受信した信号に基いて前記モーター式駆動装置及び音声出力装置を制御する制御装置とを備える。そして、前記操縦ユニットと玩具本体とを紐３によって着脱可能に連結することにより、操縦ユニットを用いて遠隔操縦して玩具本体を歩行させて遊んだり、前記紐を握って玩具を従えて散歩をして遊んだりすることを可能としている。【選択図】　図１
2004073306.tif 000002
【特許請求の範囲】
【請求項１】
脚部が設けられた玩具本体と、該玩具本体を操縦する無線式の操縦ユニットから成る遠隔操縦玩具であって、
前記操縦ユニットには、
脚部を駆動して玩具本体の前進と後進を指示する操作部と、
玩具本体の方向転換を指示する操作部と、
無線信号送信装置とを備え、
前記玩具本体には、
操縦ユニットから送信される無線信号を受信する受信装置と、
玩具本体に設けた複数の可動部を駆動するモーター式駆動装置と、
予め出力される音声情報が記憶された半導体記憶装置を備える音声出力装置と
前記受信装置で受信した信号に基いて前記モーター式駆動装置及び音声出力装置を制御する制御装置とを備え、
前記操縦ユニットと玩具本体とを紐によって着脱可能に連結することにより、
操縦ユニットを用いて遠隔地から玩具本体を操縦して遊ぶだけでなく、紐を握って玩具を従えて散歩をして遊ぶことを可能としたことを特徴とする操縦可能な歩行玩具。
【請求項２】
請求項１において、
前記複数の可動部は少なくとも、玩具本体の口部、胴体部、脚部、尾部に設けられており、前記モーター式駆動装置の作動によって、口部の開閉、脚部の動作による玩具本体の前進と後進、胴体前部の左右回転による方向転換、尾部の揺動を実施可能としたことを特徴とする操縦可能な歩行玩具。
【発明の詳細な説明】
【０００１】
【発明の属する技術分野】
本発明は、複数の脚部が設けられた玩具本体と、玩具本体を操縦する無線式の操縦ユニットから成り、前記玩具本体と操縦ユニットとを紐を用いて着脱自在に連結した歩行玩具の構成に関する。
【０００２】
【従来の技術】
従来より知られる操縦可能な動物玩具として、例えば、実開平６−８０４８８号公報に開示される考案が挙げられる。
この考案に係る玩具は、幼児にも扱えるように簡単な操作で操縦可能に構成された動物玩具であり、音声出力と、幼児の歩行速度と同程度の速度での走行を可能としていた。この玩具の操縦ユニットは、胴体部内部に配設される制御部とケーブルを介して電気的に配線されており、ユニット上部に設けた自動復帰式のシーソースイッチを操作することにより、玩具本体に各種動作を行わせることを可能としていた。そして、玩具本体は、胴体部の内部に設けた駆動機構によって胴体部の左右に配設される駆動用の車輪を回転することにより前進・後進を行い、前記車輪の一方を逆回転することにより方向転換を行うものであった。そして、動作に合わせて音声出力装置から鳴声等の出力が行われた。
【０００３】
そのため、子供はこの玩具を操縦して遊んだり、音声を出力させたりすることができたが、車輪を駆動して移動するものであったため、動物の歩行様態と比較してその動作はリアルさに欠けていた。
【０００４】
また、上記玩具以外にも、高度の電子制御技術を駆使することにより、本物の犬が行うような各種動作を実施可能とした商品も存在したが、価格面ではかなり高額になるため、大多数の消費者が気軽に購入できるものではなかった。
【０００５】
【発明が解決しようとする課題】
そこで、本発明は、上記従来技術の問題点に鑑みなされたものであり、紐に繋がれたペットを従えて散歩をして遊ぶことのできる歩行機能を備えた玩具を安価に提供することを課題とする。
【０００６】
【課題を解決するための手段】
請求項１記載の発明は、
脚部が設けられた玩具本体と、該玩具本体を操縦する無線式の操縦ユニットから成る遠隔操縦玩具であって、
前記操縦ユニットには、
脚部を駆動して玩具本体の前進と後進を指示する操作部と、
玩具本体の方向転換を指示する操作部と、
無線信号送信装置とを備え、
前記玩具本体には、
操縦ユニットから送信される無線信号を受信する受信装置と、
玩具本体に設けた複数の可動部を駆動するモーター式駆動装置と、
予め出力される音声情報が記憶された半導体記憶装置を備える音声出力装置と
前記受信装置で受信した信号に基いて前記モーター式駆動装置及び音声出力装置を制御する制御装置とを備え、
前記操縦ユニットと玩具本体とを紐によって着脱可能に連結することにより、
操縦ユニットを用いて遠隔地から玩具本体を操縦して遊ぶだけでなく、紐を握って玩具を従えて散歩をして遊ぶことを可能としたことを特徴とする。
【０００７】
本発明によれば、玩具の駆動に高度な電子制御技術を要しないので、低年齢層の子供をもつ親が気軽に購入することができる程度に安価な価格で商品を提供することができる。
【０００８】
請求項２記載の発明は、請求項１において、
前記複数の可動部は少なくとも、玩具本体の口部、胴体部、脚部、尾部に設けられており、前記モーター式駆動装置の作動によって、口部の開閉、脚部の動作による玩具本体の前進と後進、胴体前部の左右回転による方向転換、尾部の揺動を実施可能としたことを特徴とする。
【０００９】
本発明によれば、少なくとも玩具本体の口部、胴体部、脚部、尾部に可動部が設けられるので、モーター式駆動装置の作動によって、口部の開閉、脚部の動作による玩具本体の前進と後進、胴体前部の左右回転による方向転換、尾部の揺動を実施可能とした商品を提供することができる。
【００１０】
【発明の実施の形態】
本発明は、脚部が設けられた玩具本体と、該玩具本体を操縦する無線式の操縦ユニットから成る。
そして、前記操縦ユニットには、脚部を駆動して玩具本体の前進と後進を指示する操作部と、玩具本体の方向転換を指示する操作部と、無線信号送信装置とを備える。また、前記玩具本体には、操縦ユニットから送信される無線信号を受信する受信装置と、玩具本体に設けた複数の可動部を駆動するモーター式駆動装置と、予め出力される音声情報が記憶された半導体記憶装置を備える音声出力装置と前記受信装置で受信した信号に基いて前記モーター式駆動装置及び音声出力装置を制御する制御装置とを備える。
そして、前記操縦ユニットと玩具本体とを紐によって着脱可能に連結することにより、遠隔地から玩具本体を操縦して遊ぶだけでなく、犬を散歩させる場合と同様に紐を握って玩具を従えて散歩をして遊ぶことのできる歩行玩具を安価に提供可能としている。
【００１１】
【実施例】
以下、図面を参照して本発明に係る実施例を詳細に説明する。
＜玩具本体と操縦ユニットの構成＞
はじめに、図１を参照して本実施例に係る玩具と操縦ユニットの構成を説明する。
図１は、実施例に係る玩具本体と操縦ユニットの外観を示している。
本実施例は、犬の形状をした玩具本体１と操縦ユニット２とを紐３で連結して構成される。紐３の両端には輪状部３ａが設けられており、輪状部３ａは、玩具本体１の首輪４と操縦ユニット２にそれぞれ設けられる係止部に係止している。そして、この輪状部３ａには隙間３ｂを形成し、必要に応じて紐３を着脱可能としている。
操縦ユニット２には、４つの操作部２ａ・２ｂ・２ｃ・２ｄと、無線信号送信装置が設けられており、前記操作部の各ボタンを操作することにより、無線式送信装置は玩具本体１に対して操縦内容を伝達する電波信号を送信する。なお、操縦ユニット２は直感的に操作可能であり、玩具本体と紐で連結可能に形成されるものであれば、信号の送信方式や操作部の形状等は特に限定されるものではない。したがって、実施例に示すもの以外にも、例えば、赤外線を信号媒体とする送信装置や、走行玩具の操縦に用いるプロポと同様のスティック式のスイッチを採用したものであっても構わない。
【００１２】
＜本体ユニットの構成＞
次に、図１乃至図４を参照して、玩具本体１の内部に設けられる本体ユニットの構成を説明する。
図２と図３は、図１に示す玩具本体１の内部に設けられる本体ユニット５を左側面から見た状態と上方から見た状態をそれぞれ示している。また、図４は、玩具本体１が座った状態における本体ユニットの外観を示している。
図１に示す、玩具本体１の外装部１Ａは布地を縫製して形成されており、その内部に前部ユニット５Ａと後部ユニット５Ｂとを連結して構成される本体ユニット５が設けられている。そして、前部ユニット５Ａには口部８と脚部６Ａ・６Ｃが設けられ、後部ユニット５Ｂには尾部７と脚部６Ｂ・６Ｄが設けられている。そして、前部ユニット５Ａと後部ユニット５Ｂの連結部、脚部６Ａ・６Ｂ・６Ｃ・６Ｄ、尾部７、口部８は、後述する駆動装置に連携されており、これによって駆動される。
【００１３】
＜脚部の構成＞
次に、図５乃至図８を参照して玩具本体１に設けられる脚部の構成を説明する。
図５は、前部ユニット５Ａと後部ユニット５Ｂから脚部６Ａ・６Ｂ・６Ｃ・６Ｄを取外した状態を左側面から見た状態を示している。なお、本図では脚部６Ｃ・６Ｄは便宜上省略して記載している。図６は、玩具本体を上方から見た状態であり、前部ユニット５Ａと後部ユニット５Ｂの連結構造と、上方から見た脚部構成を示している。図７は、玩具本体を左側面から見た状態であり、前部ユニット５Ａと後部ユニット５Ｂの内部構成を示している。そして、図８は、前部駆動ユニットと後部駆動ユニットの連結部の構成と、アーム５５の動作を示している。
脚部６Ａと６Ｃ、そして６Ｂと６Ｄは本体ユニット５に対して、左右対称に配設されている。そして、脚部６Ａには穴６１と長穴６２が設けられており、この穴６１と長穴６２には、前部ユニット５Ａに設けた駆動機構によって駆動されるクランク９１ｆの軸とアーム５５の軸５５１がそれぞれ緩く嵌合されている。このときクランク９１ｆの軸は穴６１の内部で回転可能になっており、アーム５５の軸５５１は長穴６２の内部で移動可能になっている。同様に、脚部６Ｂに設けた穴６３と長穴６４には、後部ユニット５Ｂに設けた駆動機構によって駆動されるクランク９１ａの軸とアーム５６の軸５６ａがそれぞれ嵌合されている。
【００１４】
＜前部ユニット５Ａと後部ユニット５Ｂの連結構造＞
次に、図６及び図７を参照して、前部ユニット５Ａと後部ユニット５Ｂの連結構造を説明する。
前部ユニット５Ａの内部には、前部駆動ユニット５ａが、後部ユニット５Ｂの内部には、後部駆動ユニット５ｂがそれぞれ設けられている。そして、前部ユニット５Ａと後部ユニット５Ｂは、前部駆動ユニット５ａの上下に設けられる穴部に後部駆動ユニット５ｂに設けられるアーム５１と５２の軸部５１ａと５２ａを嵌合して連結されている。これにより、前部ユニット５Ａは後部ユニット５Ｂに対して連結され、回転可能になっている。また、前部駆動ユニット５ａを左右から挟持する板バネ５３ａと５３ｂは、後部駆動ユニット５ｂに設けられており、回転した前部駆動ユニット５ａを回転前の位置に復帰させるように付勢している。つまり、図６において、前部駆動ユニット５ａが左に回転する場合には板バネ５３ａが曲げられるので、前部駆動ユニット５ａは右に付勢され、反対に、前部駆動ユニット５ａが右に回転する場合には板バネ５３ｂが曲げられるので、前部駆動ユニット５ａは左に付勢される。
【００１５】
＜歩行動作＞
次に、図３、図５、図７、図９を参照して、玩具本体１の歩行動作を説明する。
図９は、前部駆動ユニット５ａと後部駆動ユニット５ｂの内部構成を示す図である。
玩具本体１の歩行動作は、モーターＭ１によって駆動されるクランクの軸と噛み合う長穴を脚部に設け、このクランクの回転動作を脚部の上下動を伴った揺動に変換することにより行なわれる。
モーターＭ１の動力は一連の歯車群１２ａ→１２ｂ→１２ｃ→１２ｄ→１２ｅ→１２ｆによって伝達され、歯車１２ｆと同軸上に配設されるクランク９１ａが回転される。そして、歯車１２ｅの回転は歯車１２ｆを介して歯車１２ｇ→１２ｈ→１２ｉと伝達され、１２ｉと同軸上に配設されるクランク９１ｆが回転される。歯車１２ｇと歯車１２ｈの間には自在継手Ｊ２を設けることにより、方向転換時に前部駆動ユニット５ａが回転した場合にも動力の伝達を可能としている。
このとき、歯車１２ｈと歯車１２ｇの歯数を同一とし、同様に歯車１２ｆと歯車１２ｉも歯数を同一にして、歯車１２ｆと１２ｉの軸Ｐ１とＰ２の回転速度を等しくすることにより、前脚と後脚が所定時間当たりに進む歩数を等しくしている。
また、軸Ｐ１の右端には、クランク９１ａと１８０度位相をずらした状態で右後脚６ｄを動かすクランク（図示せず）が取付けられている。そのため、右後脚６Ｄと左後脚６Ｂは交互に動作することになり、スムーズに歩行することができる。同様に、軸Ｐ２の右端にも右前脚６Ｃを駆動するためのクランク（図示せず）がクランク９１ｆと１８０度位相をずらした状態で取付けられている。そのため、右前脚６Ｃと左前脚６Ａは交互に動作することになり、スムーズに歩行することができる。なお、歩行時における前進と後退の切り換えは、モーターＭ１の回転方向を反転してクランクの回転方向を変えることにより行われる。
【００１６】
＜玩具本体が座る過程での動作＞
次に、図４、図７、図９、図１１を参照して玩具本体１が座る際の動作を説明する。
図１１は、支持体１０とその近傍に設けられる部材の構成を示す図である。図１１（Ａ）は分解斜視図であり、図１１（Ｂ）は組立状態での斜視図である。
玩具本体１が座る際の動作は、支持体１０が移動して支持体１０に設けられる軸１０ａが後部駆動ユニット５ｂの長手方向に移動することにより行われる。アーム５６は軸Ｐ１に嵌合され、この軸Ｐ１を中心として回転可能に取付けられており、支持体１０が右側に移動するとアーム５６は、軸Ｐ１を中心として時計方向に回転する。左後脚６Ｂには、アーム５６の軸５６ａが係止されているので、アーム５６が回転すると、左後脚６Ｂはクランク９１ａの軸を中心としてアーム５６と同方向に回転して曲がり、玩具は図４に示すように座った姿勢となる。
支持体１０は、口部８や前部ユニット５Ａと同様モーターＭ２によって駆動される。そのため、後脚は口部８と前部ユニット５Ａ同時に作動される。モーターＭ２の回転は、一連の歯車群９ａ→９ｂ→９ｃ→９ｇ→９ｈ→９ｌ→９ｍ→９ｎ→９ｏ→９ｐによってクランク９１ｅに伝達される。なお、歯車９ｌと９ｍの間には自在継手Ｊ１を設けることにより、前部駆動ユニット５ａが方向転換するために回転した場合にも動力の伝達を可能としている。
クランク９１ｅが回転すると、図１１に示すように、扁平形状をしたクランク９１ｅの軸部が回転し、支持体１１が移動する。このとき、支持体１１はバネＳ１によって左方向に付勢されているので、クランク９１ｅの扁平な軸部は支持体１１の内壁に押されて間欠的にトルクを生じる。そのため、モーターＭ２へ供給される電流が遮断された場合にもクランク９１ｅは扁平形状をした軸部の平面部が支持体１１の内壁の平面部と接触するまで回転を持続する。これにより、支持体１０の長穴に嵌合するクランク９１ｅの軸の停止位置を規定することができる。本実施例では、クランク９１ｅの軸が後部駆動ユニットの長手方向に対して右側又は左側に位置する場合の二点において停止するように構成されている。このようにしてクランク９１ｅの停止位置が規定されると、支持体１０の停止位置も規定されることになり、後脚の停止位置は折りたたみ位置と完全に起立した状態のいずれかで停止するようになる。
【００１７】
＜方向転換時の動作＞
次に、図８乃至図１０と、図１２を参照して玩具本体１の方向転換を説明する。
図１０は、前部駆動ユニット内部に設けられる歯車群の噛合関係を示しており、図１２は、遊星歯車を構成する歯車群９ｉ・９ｈ・９ｇの取付け関係を示す図である。
図９に示すように、前部ユニット５Ａは、前部ユニット５Ａと後部ユニット５Ｂの連結部に設けられるクランク９１ｄの回転を利用して駆動される。
クランク９１ｄは、後部駆動ユニット５ｂの左側壁に設けられる溝に部材の軸が嵌合されており、クランク９１ｃと同様にモーターＭ２によって駆動される。そのため、前部ユニット５Ａは口部８と同時に作動し、左右方向に交互に回転される。モーターＭ２の動力は、一連の歯車群９ａ→９ｂ→９ｃ→９ｇ→９ｈ→９ｉ→９ｊ→９ｋによって伝達され、クランク９１ｄが回転する。歯車９ｇ、９ｈ、９ｉは図１２に示すように遊星歯車を形成しており、図１０（Ａ）、（Ｂ）に示すように、歯車９ｇの回転方向が逆転すると歯車９ｇの軸を中心として歯車９ｉが回転し、歯車９ｉの噛合する歯車が歯車９ｊ又は歯車９ｌに変更される。前部ユニット５Ａを回転して方向転換が行われるのは、歯車９ｉが歯車９ｊと噛合する場合である。
このようにして前部ユニット５Ａが回転されると、図８（Ａ）、（Ｂ）に示すように、前部駆動ユニット５ａのケースに設けられる軸５４ａと後部駆動ユニット５ｂのケースに設けられる軸５４ｂの二点で支持されるアーム５５が軸５４ａを中心として回転し、軸Ｐ２と軸５５１の間隔が変更される。すなわち、前部ユニット５Ａが左方向に回転されると、軸Ｐ２と軸５５１の間隔が増加し、反対に前部ユニット５Ａが右方向に回転されると、軸Ｐ２と軸５５１の間隔は減少する。
そして、軸Ｐ２と軸５５１の間隔が減少する場合には、左前脚６Ａの歩幅が大きくなり、軸Ｐ２と軸５５１の間隔が増加する場合には左前脚６Ａの歩幅が小さくなる。例えば、玩具本体が左に方向転換するために前部ユニット５Ａが左に回転すると、軸Ｐ２と軸５５１の間隔が増加し、左前脚６Ａの歩幅が小さくなる。
なお、図８では、玩具の左半身に着目して図示しているが、玩具の右半身にもアーム５５と同様の部材が設けられており、その動作はアーム５５と対象的に行われる。そのため、玩具本体が左に方向転換するために前部ユニット５Ａが左に回転すると、右前脚６Ｃの歩幅が大きくなり、玩具本体の進行方向は左に曲がることになる。また、アーム５５の回転角度は前部ユニット５Ａの回転角度に比例するので、前部ユニット５Ａがより多く回転することで左右の前脚の歩幅差が大きくなり、針路変更の程度が大きくなる。そのため、本実施例における玩具の動作は、動物が進路変更する場合にとる動作と似たものとなり、本物らしさの感じられるものとなる。
【００１８】
＜口部動作＞
次に、図７及び図９を参照して口部８の動作を説明する。
前部ユニット５Ａには口部８が設けられている。
この口部８は、顎部に設けられる軸８１と８２を前部ユニット５Ａに設けた軸受に軸支され、前部ユニット５Ａの上下方向に対して揺動自在となるように取付けられている。そして、口部８は、部材の右端に設けられる溝（図示せず）に、前部駆動ユニット５ａの上部に設けたクランク９１ｃの軸を嵌合することにより、クランク９１ｃの回転運動を利用して駆動される。このクランク９１ｃは、モーターＭ２の回転を一連の歯車群９ａ→９ｂ→９ｃ→９ｄ→９ｅ→９ｆによって伝達することにより駆動される。
【００１９】
＜尾部揺動＞
次に、図９を参照して尾部７の動作を説明する。
尾部７は、部材下部に設けられる軸７１・７２を後部ユニット５Ｂに設けた軸受に軸支され、玩具本体の左右方向に対して揺動自在となるように取付けられている。そして、尾部７の下端に設けられる溝７３に後部駆動ユニット５ｂの後部に設けられるクランク９１ｂの軸を嵌合することにより、クランク９１ｂの回転運動を利用して尾部７を駆動可能としている。このクランク９１ｂは、モーターＭ１の回転を一連の歯車群１２ａ→１２ｂ→１２ｃ→１２ｄによって伝達することにより駆動される。
【００２０】
＜回路構成＞
次に、図１、図７、図１３を参照して本実施例に係る玩具の回路構成を説明する。
図７に示すように、後部駆動ユニット５ｂの側面には、制御装置となる電子回路が設けられた基板１３が取付けられている。この基板１３からは、信号受信用のアンテナ１３１が延設されている。
図１３は、前記基板１３と操縦ユニット２に設けられる回路構成を示している。
操縦ユニット２には、スイッチ２ａ・２ｂ・２ｃ・２ｄと無線信号送信装置２ｅが設けられており、これらスイッチ２ａ〜２ｄを操作することにより玩具本体１の操縦を行うことができる。玩具本体１には、前記操縦ユニットから送信される信号を受信する受信装置１３２と、出力される音声情報が予め格納される半導体記憶装置１３３とを備える制御装置１３４が設けられている。操縦ユニット２から送信される信号を受信すると、制御装置１３４はモーターＭ１・Ｍ２を駆動し、スピーカ１４から音声出力を行う。本実施例において出力される音声は犬の鳴き声であり、玩具本体１に設けた口部８の駆動に合わせて出力される。
各スイッチの操作と玩具の動作の対応関係は、以下に示す通りである。
＜スイッチ２ａの操作＞
口部８の駆動と前部ユニット５Ａの左右動が行われる。そしてスピーカ１４から犬の鳴き声の出力が行われる。
＜スイッチ２ｂの操作＞
脚部６Ａ・６Ｂ・６Ｃ・６Ｄが駆動され玩具本体が前進する。そして、尾部７が駆動される。
＜スイッチ２ｃの操作＞
口部８の駆動と後脚６Ｂ・６Ｄの屈伸が行われる。そしてスピーカ１４から犬の鳴き声の出力が行われる。
＜スイッチ２ｄの操作＞
脚部６Ａ・６Ｂ・６Ｃ・６Ｄが駆動され玩具本体が前進する。そして、尾部７が駆動される。
なお、本実施例における各スイッチ操作時の動作は前記の通りであるが、各スイッチへの機能の割当てはこれに限定されるものではなく、本発明の趣旨を逸脱しない範囲で変更しても構わない。
【００２１】
【発明の効果】
本発明によれば、玩具の駆動に高度な電子制御技術を要しないので、低年齢層の子供をもつ親が気軽に購入することができる程度に安価な価格で商品を提供することができる。
【００２２】
また本発明によれば、少なくとも玩具本体の口部、胴体部、脚部、尾部に可動部が設けられるので、モーター式駆動装置の作動によって、口部の開閉、脚部の動作による玩具本体の前進と後進、胴体前部の左右回転による方向転換、尾部の揺動を実施可能とした商品を提供することができる。
【００２３】
【図面の簡単な説明】
【図１】実施例に係る玩具本体と操縦ユニットの外観を示す図である。
【図２】図１に示す玩具本体内部に設けられる本体ユニットの構成を示す左側面図である。
【図３】図１に示す玩具本体内部に設けられる本体ユニットの構成を示す平面図である。
【図４】玩具本体１が座った状態における本体ユニットの左側面図である。
【図５】前部ユニット５Ａと後部ユニット５Ｂから脚部を取外した状態を示す図である。
【図６】前部ユニット５Ａと後部ユニット５Ｂの連結構造と、上方から見た脚部の構造を示す平面図である。
【図７】前部ユニット５Ａと、後部ユニット５Ｂの内部構成を示す図である。
【図８】前部駆動ユニットと後部駆動ユニットの連結部の構成と、アーム５５の動作の関係を示す図である。
【図９】前部駆動ユニットと後部駆動ユニットの内部構成を示す図である。
【図１０】前部駆動ユニット内部に設けられる歯車群の噛合関係を示す図である。
【図１１】支持体１０とその近傍に設けられる部材の構成を示す斜視図である。
【図１２】遊星歯車を構成する歯車群９ｉ・９ｈ・９ｇの取付け関係を示す図である。
【図１３】実施例に係る玩具の回路構成を示す図である。
【符号の説明】
１　　　玩具本体
２　　　操縦ユニット
２ａ　　操作部
２ｂ　　操作部
２ｃ　　操作部
２ｄ　　操作部
２ｅ　　無線信号信装置
６Ａ　　左前脚（脚部）
６Ｂ　　左後脚（脚部）
６Ｃ　　右前脚（脚部）
６Ｄ　　右後脚（脚部）
７　　　尾部
８　　　口部
１３　　基板
１３２　受信装置
１３３　半導体記憶装置
１３４　制御装置
１４　　スピーカ
【図１】
2004073306.tif 000003
【図２】
2004073306.tif 000004
【図３】
2004073306.tif 000005
【図４】
2004073306.tif 000006
【図５】
2004073306.tif 000007
【図６】
2004073306.tif 000008
【図７】
2004073306.tif 000009
【図８】
2004073306.tif 000010
【図９】
2004073306.tif 000011
【図１０】
2004073306.tif 000012
【図１１】
2004073306.tif 000013
【図１２】
2004073306.tif 000014
【図１３】
2004073306.tif 000015